(57)【要約】【課題】簡単な構成で、症状及び他の薬の服用に関わらず使用することができ、速効性がある体力向上装置を提供する。【解決手段】体力向上装置１は、合成樹脂製で矩形をなす基板２と、該基板２に設けてあり、円錐状をなし、負に帯電した粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅを封入してある５個のガラス容器３と、ボタン型電池を収容する電池収容部５と、圧電ブザー６と、タイマーＩＣ７とを備える。この体力向上装置１においては、基板２に、４個のガラス容器３を四角形の頂点に配置し、１個のガラス容器３を該四角形の中心部に配置するように設けてある。【選択図】図１
2013000470.tif 000002
【特許請求の範囲】
【請求項１】
基板と、
発振部と、
０．５Ｈｚ以上の断続周波数で、前記発振部に駆動電圧を与える駆動回路と
を含むことを特徴とする体力向上装置。
【請求項２】
前記発振部は、圧電ブザー又はリレーであることを特徴とする請求項１に記載の体力向上装置。
【請求項３】
前記駆動回路は、３Ｈｚ以上１０Ｈｚ以下の断続周波数で、前記発振部に駆動電圧を与えることを特徴とする請求項１又は２に記載の体力向上装置。
【請求項４】
負に帯電させた粒状又は粉末状のＳｉ，ＳｉＯx （０＜ｘ≦２），Ａｌ，Ｐ，Ｇｅ，Ｓｎ，Ｐｂ，Ｎｉ又はＦｅを封入してある、１又は複数の円錐状又は円筒状のガラス容器を備えることを特徴とする請求項１乃至３のいずれか１項に記載の体力向上装置。
【請求項５】
前記ガラス容器を３個以上備えることを特徴とする請求項１乃至４のいずれか１項に記載の体力向上装置。
【請求項６】
前記基板に、前記ガラス容器を、四角形の頂点及び該四角形の内部に配置してあることを特徴とする請求項５に記載の体力向上装置。
【請求項７】
前記ガラス容器を６個有し、
前記基板に、前記ガラス容器を、六角形の頂点に配するように設けてあることを特徴とする請求項５に記載の体力向上装置。
【請求項８】
前記ガラス容器を前記発振部に備えることを特徴とする請求項４乃至７のいずれか１項に記載の体力向上装置。
【請求項９】
前記負に帯電した粒状又は粉末状のＳｉ，ＳｉＯx （０＜ｘ≦２），Ａｌ，Ｐ，Ｇｅ，Ｓｎ，Ｐｂ，Ｎｉ又はＦｅは、粒状又は粉末状のＳｉ，ＳｉＯx （０＜ｘ≦２），Ａｌ，Ｐ，Ｇｅ，Ｓｎ，Ｐｂ，Ｎｉ又はＦｅを、負に帯電した粒状又は粉末状のＳｉ又はＳｉＯx （０＜ｘ≦２）をガラス管に封入してなる静電気軽減除去手段を地中に埋設した場所で静置する第１過程と、該第１過程にて静置されたＳｉ，ＳｉＯx （０＜ｘ≦２），Ａｌ，Ｐ，Ｇｅ，Ｓｎ，Ｐｂ，Ｎｉ又はＦｅを前記場所で所定時間焼成する第２過程とを有して生成されたものであることを特徴とする請求項１乃至８のいずれか１項に記載の体力向上装置。
【請求項１０】
前記負に帯電した粒状又は粉末状のＳｉ，ＳｉＯx （０＜ｘ≦２），Ａｌ，Ｐ，Ｇｅ，Ｓｎ，Ｐｂ，Ｎｉ又はＦｅは、粒状又は粉末状のＳｉ，ＳｉＯx （０＜ｘ≦２），Ａｌ，Ｐ，Ｇｅ，Ｓｎ，Ｐｂ，Ｎｉ又はＦｅを、負に帯電した石英坩堝に投入する第１過程と、負に帯電した粒状又は粉末状のＳｉ又はＳｉＯx （０＜ｘ≦２）をガラス管に封入してなる静電気軽減除去手段を地中に埋設した場所で、前記第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを所定時間焼成する第２過程とを有して生成されたものであることを特徴とする請求項１乃至８のいずれか１つに記載の体力向上装置。
【発明の詳細な説明】
【技術分野】
【０００１】
本発明は、人体に装着することで体力が増強される体力向上装置に関する。
【背景技術】
【０００２】
人体の体表面又は体内がプラスに帯電している場合、血液及びリンパ液等の体液、並びに気の流れが悪くなり、血圧上昇、血糖増加、血管収縮及び利尿抑制等の生体作用が生じ、その結果、細胞の活性が減じ、人は興奮しやすくなり、不快感があり、不眠になり、食欲が減退する等の症状が現れ、美容上のトラブル、筋肉痛等の健康障害及び疾病が誘発されることが知られている。
従って、静電気を軽減除去して体力の増強を図ることが求められている。
静電気を軽減除去する方法としては、物体の導電性を高めて電荷を迅速に逃す方法（例えば一端が地中に埋め込まれたアース線に接続する方法）、発生した電荷にアイソトープ、交流コロナ放電を利用した除電器で異極性のイオンを供給しこれを中和する方法、空中放電する方法等がある。
また、正の静電気を中和し、又は負に転じさせて美容上のトラブル、健康障害及び疾病の発生を防止するために、負電荷が発生する機能が付加された空気清浄機等の種々の機器、寝具（布団、枕）及び衣類等が開発されている。
そして、特許文献１には、もろみ酢に酵素処理ヘスペリジン、マリンコラーゲン、オリゴ糖を添加することにより、もろみ酢を飲みやすくすると共に、冷え症を改善する作用、コレステロールを低下させる作用、体調を整える（体力増強、睡眠改善、胃腸や肌状態を改善）作用の付加を図った飲食品の発明が開示されている。
【先行技術文献】
【特許文献】
【０００３】
【特許文献１】特開２００７−１８６４９５号公報
【発明の概要】
【発明が解決しようとする課題】
【０００４】
しかしながら上述の方法では静電気を完全に除去することは困難であり、まして正の静電気を負に転じるには大がかりな装置が必要であった。
また、上述の機器等からは大気中に負電荷が拡散し、人体に直接作用する負電荷の量は少なく、人体に帯電している静電気の中和、即ち静電気の軽減除去が十分でなかった。従って、それらの機器等は十分に機能していないという問題があった。
そして、特許文献１の飲食品の場合、該飲食品を４〜８週間摂取することで効果が現れており、速効性がない。また、該飲食品はオリゴ糖を含むので肥満等により生活習慣病を患っている者は飲食用することができない。他の体力増強を目的とする健康食品及び薬品も、症状及び他の薬の常用等により飲食用できない場合があった。そして、これらの健康食品及び薬品を服用しても静電気は軽減除去されないので、十分に体力を増強することができない。
また、神経活動を活発化して体力を向上することも求められている。
【０００５】
本発明は斯かる事情に鑑みてなされたものであり、簡単な構成で、症状及び薬の服用等に関わらず使用することができ、速効性良好に体力を向上することができる体力向上装置を提供することを目的とする。
【課題を解決するための手段】
【０００６】
本発明者等は、前記目的を達成するため鋭意研究を行った結果、発振部を含む基板を人体に装着することによって、体力が向上し、種々の症状が軽減されることを見出し、さらに、円錐状又は円筒状をなし、負に帯電した粒状又は粉末状のＳｉ，ＳｉＯx （０＜ｘ≦２），Ａｌ，Ｐ，Ｇｅ，Ｓｎ，Ｐｂ，Ｎｉ又はＦｅを封入してある１又は複数のガラス容器を基板に備えることにより、発振のノイズが低減し、さらに体力が向上することを見出し、本発明を完成するに至った。
ここで、負に帯電するとは、負電荷を与えられること、負の静電気を帯びることを意味し、マイナスイオン化ともいう。Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
【０００７】
第１発明の体力向上装置は、基板と、発振部と、０．５Ｈｚ以上の断続周波数で、前記発振部に駆動電圧を与える駆動回路とを含むことを特徴とする。
【０００８】
第２発明の体力向上装置は、第１発明において、前記発振部は、圧電ブザー又はリレーであることを特徴とする。
【０００９】
第３発明の体力向上装置は、第１又は第２発明において、前記駆動回路は、３Ｈｚ以上１０Ｈｚ以下の断続周波数で、前記発振部に駆動電圧を与えることを特徴とする。
【００１０】
第４発明の体力向上装置は、第１乃至第３発明のいずれかにおいて、負に帯電させた粒状又は粉末状のＳｉ，ＳｉＯx （０＜ｘ≦２），Ａｌ，Ｐ，Ｇｅ，Ｓｎ，Ｐｂ，Ｎｉ又はＦｅを封入してある、１又は複数の円錐状又は円筒状のガラス容器を備えることを特徴とする。
【００１１】
第５発明の体力向上装置は、第１乃至第４発明のいずれかにおいて、前記ガラス容器を３個以上備えることを特徴とする。
【００１２】
第６発明の体力向上装置は、第５発明において、前記基板に、前記ガラス容器を、四角形の頂点及び該四角形の内部に配置してあることを特徴とする。
【００１３】
第７発明の体力向上装置は、第５発明において、前記ガラス容器を６個有し、前記基板に、前記ガラス容器を、六角形の頂点に配するように設けてあることを特徴とする。
【００１４】
第８発明の体力向上装置は、第４乃至第７発明のいずれかにおいて、前記ガラス容器を前記発振部に備えることを特徴とする。
【００１５】
第９発明の体力向上装置は、第１乃至第８発明のいずれかにおいて、前記負に帯電した粒状又は粉末状のＳｉ，ＳｉＯx （０＜ｘ≦２），Ａｌ，Ｐ，Ｇｅ，Ｓｎ，Ｐｂ，Ｎｉ又はＦｅは、粒状又は粉末状のＳｉ，ＳｉＯx （０＜ｘ≦２），Ａｌ，Ｐ，Ｇｅ，Ｓｎ，Ｐｂ，Ｎｉ又はＦｅを、負に帯電した粒状又は粉末状のＳｉ又はＳｉＯx （０＜ｘ≦２）をガラス管に封入してなる静電気軽減除去手段を地中に埋設した場所で静置する第１過程と、該第１過程にて静置されたＳｉ，ＳｉＯx （０＜ｘ≦２），Ａｌ，Ｐ，Ｇｅ，Ｓｎ，Ｐｂ，Ｎｉ又はＦｅを前記場所で所定時間焼成する第２過程とを有して生成されたものであることを特徴とする。
【００１６】
第１０発明の体力向上装置は、第１乃至第８発明のいずれかにおいて、前記負に帯電した粒状又は粉末状のＳｉ，ＳｉＯx （０＜ｘ≦２），Ａｌ，Ｐ，Ｇｅ，Ｓｎ，Ｐｂ，Ｎｉ又はＦｅは、粒状又は粉末状のＳｉ，ＳｉＯx （０＜ｘ≦２），Ａｌ，Ｐ，Ｇｅ，Ｓｎ，Ｐｂ，Ｎｉ又はＦｅを、負に帯電した石英坩堝に投入する第１過程と、負に帯電した粒状又は粉末状のＳｉ又はＳｉＯx （０＜ｘ≦２）をガラス管に封入してなる静電気軽減除去手段を地中に埋設した場所で、前記第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを所定時間焼成する第２過程とを有して生成されたものであることを特徴とする。
【００１７】
本発明の体力向上装置は簡単な構成を有し、人体に装着するのみでよく、体力増強のための他の飲食品と異なり、症状及び薬の服用等に関わらず使用することができる。
本発明の体力向上装置は、０．５Ｈｚ以上の振動数で、振動、音波等を与える発振部を備えており、詳細な理由は明らかでないが、神経活動が活発化すると考えられ、速効性良好に体力が向上するのが確認されている。負に帯電したＳｉ等が封入されたガラス容器をさらに備えることにより、このガラス容器の端部から負電荷が放出され、発振部で生じる磁界に作用して、発振のノイズが除去され、より体力が向上することが確認されている。負電荷が生体に供給され、患部に帯電していた正の静電気が軽減除去されると、体液等の流れが良くなり、血圧下降、血糖減少、血管拡張及び利尿促進等の生体作用が生じることが知られている。この体力向上装置を使用することにより、上述したように、発振のノイズが除去され、神経活動がより活発化されるとともに、負電荷が人体に効率よく供給されて人体に帯電していた静電気が軽減除去され、体力がより向上する。
【００１８】
また、本発明においては、第１過程で、静電気軽減除去手段が埋設された場所でＳｉ等を静置し、又は負電荷が与えられた石英坩堝にＳｉ等を投入するので、負電荷がＳｉ等に移行してＳｉ等が負電荷を帯びた状態になる。その後の第２過程で、静電気軽減除去手段が埋設された場所でこのＳｉ等を焼成することにより、負電荷がＳｉ等に定着し、負電荷の経時的減少が抑制される。このようにして負に帯電したＳｉ等をガラス容器に封入して体力向上装置を構成すると、その使用時に負電荷が発振部の磁界に作用し、発振のノイズが除去され、より体力が向上する。
【発明の効果】
【００１９】
本発明によれば、速効性良好に体力が向上する。
そして、本発明の体力向上装置は簡単な構成を有し、人体に装着するのみでよく、体力増強のための他の飲食品と異なり、症状及び薬の服用等に関わらず使用することができる。
【図面の簡単な説明】
【００２０】
【図１】本発明の実施の形態１に係る体力向上装置を示す斜視図である。
【図２】本発明の実施の形態１に係る体力向上装置の製造に適用する負電荷付与装置を示す斜視図である。
【図３】メタリックシリコンを焼成する建物及び敷地を示す側面図である。
【図４】メタリックシリコンを焼成する建物及び敷地を示す平面図である。
【図５】本発明の実施の形態２に係る体力向上装置を示す斜視図である。
【図６】本発明の実施の形態３に係る体力向上装置を示す斜視図である。
【図７】本発明の実施の形態３に係る体力向上装置の他の例を示す斜視図である。
【図８】本発明の実施の形態４に係る体力向上装置を示す斜視図である。
【図９】本発明の実施の形態５に係る体力向上装置を示す斜視図である。
【図１０】本発明の実施の形態６に係る体力向上装置を示す斜視図である。
【図１１】実施例１の体力向上装置のオシロ波形を示す写真である。
【図１２】実施例２の体力向上装置のオシロ波形を示す写真である。
【図１３】実施例３の体力向上装置のオシロ波形を示す写真である。
【図１４】本発明の実施例１に係る体力向上装置を装着した場合の時間と速度との関係を示すグラフである。
【図１５】本発明の実施例１に係る体力向上装置を装着しなかった場合の時間と速度との関係を示すグラフである。
【発明を実施するための形態】
【００２１】
以下、本発明をその実施の形態を示す図面に基づき具体的に説明する。
実施の形態１．
図１は、本発明の実施の形態１に係る体力向上装置１を示す斜視図である。
体力向上装置１は、合成樹脂製で矩形をなす基板２と、該基板２に設けてあり、円錐状をなし、後述するようにして負に帯電させた粒状のメタリックシリコン８を封入してある５個のガラス容器３と、ボタン型電池を収容する電池収容部５と、圧電ブザー（発振部）６と、タイマーＩＣ（駆動回路）７とを備える。電池収容部５、圧電ブザー６、及びタイマーＩＣは電気的に接続してあり、電気回路が構成されている。
この体力向上装置１においては、基板２に、４個のガラス容器３を四角形の頂点をなすように配し、１個のガラス容器３を該四角形の中心部に配するようにして設けてある。
【００２２】
体力向上装置１においては、電池収容部５に収容されたボタン型電池により電力が与えられて、タイマーＩＣ７によりパルスが発生し、該パルスに従って０．５Ｈｚ以上の適宜の回数、圧電ブザー６が発振するように構成されている。
【００２３】
本実施の形態の体力向上装置１においては、１個のガラス容器３を４個のガラス容器３により形成される四角形の中心部に配置した場合につき説明しているがこれに限定されるものではなく、１個のガラス容器３は前記四角形の内部に配置してあればよい。また、四角形の内部に配置するガラス容器３として、頂点に配置するガラス容器３より小さいものを使用することにしてもよい。そして、基板２は矩形状をなす場合に限定されるものではなく、円形状及び矩形以外の多角形状をなすものであってもよい。
【００２４】
ガラス容器３に封入されるメタリックシリコン８は、以下のようにして負に帯電させてある。
図２は、本実施の形態に係る体力向上装置１の製造に適用する負電荷付与装置を示す斜視図である。
負電荷付与装置は、石英坩堝１５、銅板１６、コード１７及び静電気発生装置１８（特許第４５０８４４２号）を備えたものである。開口面の内径が略４０ｃｍ、高さが略４０ｃｍの石英坩堝１５の開口側外縁部及び底部が、それぞれ銅板１６及びコード１７を介して静電気発生装置１８に接続されている。
静電気発生装置１８を作動させ、石英坩堝１５にマイナスイオンを３時間程度供給し、石英坩堝１５から正の静電気を十分に除去した後、Ｓｉ純度が９９．５％のメタリックシリコン（粒径０．２〜２ｍｍ）８を１ｋｇ、開口側から石英坩堝１５に投入し、静電気発生装置１８を作動させた状態で、所定時間（３〜１５分）放置し、メタリックシリコン８に負電荷を付与させる。
【００２５】
次に、前記メタリックシリコン８を焼成する。
図３は、メタリックシリコン８を焼成する建物及び敷地を示す側面図であり、図４はその平面図である。１００坪の敷地２２の中央部に、建物２１（底面３．６ｍ×９．０ｍ）が建てられている。敷地２２の四隅と中央（建物２１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物２１の中央部には電気炉２３が配置されている。
【００２６】
上述のようにして負に帯電したメタリックシリコン８を石英坩堝１５から陶器製の坩堝２４に移し、これを、電気炉２３に入れ、８００〜１３００℃で、３０分〜２時間焼成する。坩堝２４は底面の直径が３０ｃｍ、高さ２０ｃｍである。この坩堝２４も石英坩堝１５と同様にして予め負電荷を付与されている。焼成後にメタリックシリコン８は赤、青、緑、黄、紫、エンジ及び金色のうちのいずれかの色になる。
なお、イオン棒９のガラス管９１の長さ及び直径、並びにＳｉ９２の量は、建物２１及び敷地２２の大きさ等により適宜選択すればよい。イオン棒９の埋設位置、深さ及びその個数も、建物２１及び敷地２２の大きさ及び形状等を考慮して適宜選択する。
そして、この実施形態においては、ガラス管９１にＳｉ９２を封入しているが、ＳｉＯx を封入してもよい。この場合、ｘは、１．０＜ｘ≦２．０であるのが好ましい。
さらに、図２の負電荷付与装置を用いる代わりに、メタリックシリコン８を敷地２２内において１日から１週間以上放置し、その後焼成することにしてもよい。
【００２７】
以上のように構成された体力向上装置１は、足のすね、膝、足首、頭等にバンド等を用いて装着される。
本実施の形態においては、ガラス容器３及び４により負電荷が、０．５Ｈｚ以上の適宜の断続周波数で振動（音波）を与える圧電ブザー６に効率よく供給されて発振のノイズが低減され、神経活動が活発化し、速効性良好に体力が向上する。
そして、本実施の形態の体力向上装置１は簡単な構成を有し、人体に装着するのみでよく、体力増強のための他の飲食品と異なり、症状及び薬の服用等に関わらず誰でも使用することができる。
【００２８】
実施の形態２．
図５は、本発明の実施の形態２に係る体力向上装置１５を示す斜視図である。図中、図１と同一部分は同一符号を付して詳細な説明を省略する。
体力向上装置１５は、ガラス容器３の個数が３個であり、この３個のガラス容器３を三角形の頂点をなすように基板２上に配してあること以外は、実施の形態１に係る体力向上装置１と同一の構成を有する。
【００２９】
本実施の形態においては、人体に装着した場合、ガラス容器３により負電荷が圧電ブザー６で生じる磁界に供給されて発振のノイズが低減し、神経活動が活発になるので、速効性良好に体力が向上し、筋力及び瞬発力が向上する。
【００３０】
実施の形態３．
図６は、本発明の実施の形態３に係る体力向上装置３１を示す斜視図である。
体力向上装置３１は、合成樹脂製で円板状をなす基板３２と、該基板３２に設けてあり、円錐状をなし、上述のようにして負に帯電させた粒状のメタリックシリコン８を封入してある６個のガラス容器３３と、ボタン型電池を収容する電池収容部３５と、圧電ブザー３６と、タイマーＩＣ３７とを備える。電池収容部３５は圧電ブザー３６に載置されている。
この体力向上装置３１においては、基板３２に、ガラス容器３３を六角形の頂点をなすように設けてある。
【００３１】
体力向上装置３１においては、電池収容部３５に収容されたボタン型電池により電力が与えられて、タイマーＩＣ３７によりパルスが発生し、該パルスに従って０．５Ｈｚ以上の適宜の回数、圧電ブザー３６が発振するように構成されている。
本実施の形態においては、人体に装着した場合、ガラス容器３３により負電荷が圧電ブザー６に供給されて発振のノイズが低減し、神経活動が活発になるので、速効性良好に体力が増強する。
【００３２】
図６の体力向上装置３１は、基板３２が円板状をなしているが、基板は六角形状であってもよい。
図７は、基板４２が円板状をなす場合の体力向上装置４１を示す斜視図である。図６と同一部分は同一符号を付して詳細な説明を省略している。
【００３３】
実施の形態４．
図８は、本発明の実施の形態４に係る体力向上装置５１を示す斜視図である。
体力向上装置５１は、合成樹脂製で矩形をなす基板５２と、該基板５２に設けてあり、円錐状をなし、上述のようにして負に帯電させた粒状のメタリックシリコン８を封入してある５個のガラス容器５３と、電池を収容する電池収容部５５と、タイマーＩＣ５７と、リレー５８とを備える。前記電池としては、例えば１２Ｖのアルカリ積層電池が挙げられる。なお、電圧は１．５Ｖであってもよい。
この体力向上装置５１においては、基板５２に、４個のガラス容器５３を四角形の頂点をなすように配し、１個のガラス容器５３を該四角形の中心部に配するようにして設けてある。
【００３４】
体力向上装置５１においては、電池収容部５５に収容された電池により電力が与えられて、タイマーＩＣ５７によりパルスが発生し、該パルスに従って０．５Ｈｚ以上の適宜の振動数で、リレー５７が発振するように構成されている。
【００３５】
以上のように構成された体力向上装置５１は、人のすね、頭等にバンド等を用いて装着される。
本実施の形態においては、ガラス容器５３により負電荷がリレー５７に供給されてリレー５７で生じた磁界に作用し、発振のノイズが低減し、神経活動が活発になるので、速効性良好に体力が向上する。
そして、本実施の形態の体力向上装置５１は簡単な構成を有し、人体に装着するのみでよく、体力増強のための他の飲食品と異なり、症状及び薬の服用等に関わらず誰でも使用することができる。
【００３６】
実施の形態５．
図９は、本発明の実施の形態５に係る体力向上装置６１を示す斜視図である。
体力向上装置６１は、合成樹脂製で矩形をなす基板６２と、該基板６２に設けてあり、円筒状をなし、上述のようにして負に帯電させた粒状のメタリックシリコン８を封入してある５個のガラス容器６３と、電池を収容する電池収容部６５と、タイマーＩＣ６７と、リレー６８とを備える。ガラス容器６３の両端部は円錐状に形成してある。なお、このガラス容器６３の両端部は曲面状に形成してあるものでもよい。
【００３７】
本実施の形態においては、人体に装着した場合、ガラス容器６３により負電荷がリレー６８に供給されて発振のノイズが低減し、神経活動が活発になるので、速効性良好に体力が向上する。
【００３８】
実施の形態６．
図１０は、本発明の実施の形態６に係る体力向上装置７１を示す斜視図である。図中、図１と同一部分は同一符号を付して詳細な説明を省略する。
体力向上装置７１は、圧電ブザー５の上面に、ガラス容器７３を設けていること以外は、実施の形態１に係る体力向上装置１と同一の構成を有する。ガラス容器７３はガラス容器３より大きさが小さく、ガラス容器３と同様に、負に帯電したメタリックシリコン８が封入されている。
体力向上装置７１は、圧電ブザー５の上面に、ガラス容器７３を設けているので、圧電ブザー６に負電荷がより供給されて、後述するように、圧電ブザー５の発振のノイズがより低減する。従って、この体力向上装置７１を人体に装着した場合、体力がより向上する。
【実施例】
【００３９】
以下、本発明の実施例及び比較例につき具体的に説明するが、本発明はこの実施例に限定されるものではない。
［実施例１］
前記実施の形態１に係る体力向上装置１に相当する、実施例１の体力向上装置を作製した。基板２の大きさは縦７２ｍｍ×横９５ｍｍ、ガラス容器３の高さは２５ｍｍ、底面の直径は１６ｍｍである。圧電ブザー６として商品名「ＰＫＢ２４ＸＰＣＨ３６０１」（株式会社村田製作所製）の圧電ブザーを、タイマーＩＣ７として商品名「ＬＭＣ５５５」（ナショナルセミコンダクター社製）のタイマーＩＣを用いた。本実施例においては、３〜１０Ｈｚ（平均略６Ｈｚ）の断続周波数で発振するように構成した。
【００４０】
［実施例２］
前記実施の形態６の体力向上装置７１に相当する、実施例２の体力向上装置を作製した。すなわち、ガラス容器７３を圧電ブザー６に設けること以外は、実施例１と同様にして、実施例２の体力向上装置を作製した。
【００４１】
［実施例３］
前記実施の形態１の体力向上装置１の基板２にガラス容器３を設けず、電池収容部５と、圧電ブザー６と、タイマーＩＣ７とを含む電気回路のみを設けた、実施例３の体力向上装置を作製した。すなわち、ガラス容器３を基板２に設けないこと以外は、実施例１と同様にして、実施例３の体力向上装置を作製した。
【００４２】
［実施例４］
前記実施の形態４の体力向上装置５１の基板５２にガラス容器５３を設けず、電池収容部５５と、タイマーＩＣ５７と、リレー５８とを含む電気回路のみを設けた、実施例４の体力向上装置を作製した。基板５２の大きさは縦７２ｍｍ×横９５ｍｍである。ガラス容器３の高さは２５ｍｍ、底面の直径は１６ｍｍである。リレー５８として商品名「Ｇ５Ｖ−１」（オムロン株式会社製）のリレーを、タイマーＩＣ５７として商品名「ＬＭＣ５５５」（ナショナルセミコンダクター社製）のタイマーＩＣを用いた。本実施例においては、３〜１０Ｈｚ（平均略６Ｈｚ）の断続周波数で発振するように構成した。
【００４３】
［実施例５］
前記実施の形態４の体力向上装置５１に相当する、実施例５の体力向上装置を作製した。すなわち、ガラス容器５３を基板５２に設けること以外は、実施例４と同様にして、実施例５の体力向上装置を作製した。
【００４４】
［ノイズ低減効果の確認］
前記実施例１〜実施例３の体力向上装置の圧電ブザーのノイズ低減効果の確認を、オシロスコープ（岩通計測株式会社製：商品名「ＳＳ−７８０２」）を用い、６４０ｍＨのコイルを圧電ブザーに載置し、圧電ブザーの出力電圧波形を観測することにより行なった。
図１１〜図１３は、実施例１〜実施例３の各体力向上装置のオシロスコープの観測波形を示す写真である。
図１１の実施例１の体力向上装置のオシロ波形と図１３の実施例３のオシロ波形とを比較することにより、基板２にガラス容器３を設けることにより、ノイズが低減し、図１１の実施例１の体力向上装置のオシロ波形と図１２の実施例２のオシロ波形とを比較することにより、圧電ブザー６上にガラス容器７３を設けることにより、さらにノイズが低減することが分かる。
【００４５】
［評価試験１］
被験者Ａ、Ｂ、Ｃがそれぞれ上述の実施例１の体力向上装置を頭部に４箇所、両足首に各１箇所、バンドを用いて装着した場合と、該体力向上装置を装着していない場合（比較例）とで５０ｍ走ったときのタイムを計測した。計測はストップウオッチを用いて行った。その結果を下記の表１に示す。被験者Ａは７０歳の女性、被験者Ｂは６３歳の女性、被験者Ｃは６０歳の男性である。
【００４６】
【表１】
2013000470.tif 000003
【００４７】
表１より、実施例１の体力向上装置を装着した場合、装着しなかった場合と比較してタイムが著しく短くなっていることが分かる。この効果は、高齢者である被験者Ａ、Ｂにおいて特に顕著である。
【００４８】
被験者Ａが前記体力向上装置を装着した場合、装着しなかった場合それぞれにつき５０ｍ走ったときの様子をビデオ撮影し、複数の時点で速度を求めた。その結果を図１４及び図１５のグラフに示す。
図１４は前記体力向上装置を装着した場合の時間と速度との関係を示すグラフ、図１５は前記体力向上装置を装着しなかった場合の時間と速度との関係を示すグラフである。
図１４及び図１５のグラフより、体力向上装置を装着しなかった場合、経時的に速度が低下するが、体力向上装置を装着した場合、速度は略一定に保持され、体力が低下しないことが分かる。
以上より、本発明の体力向上装置を装着することにより体力が向上することが確認された。
【００４９】
［評価試験２］
被験者Ａ、Ｄ、Ｅが、上述の実施例４の体力向上装置、及び実施例５の体力向上装置をそれぞれ頭部に４箇所、両足首に各１箇所、装着した場合と、装着していない場合（比較例）とで５０ｍ走ったときのタイムを計測した。計測はストップウオッチを用いて行った。その結果を下記の表２に示す。被験者Ａは上述の７０歳の女性、被験者Ｄは９０歳の女性、被験者Ｅは９１歳の女性である。
【００５０】
【表２】
2013000470.tif 000004
【００５１】
表２より、実施例４及び実施例５の体力向上装置を装着した場合、装着しなかった場合と比較してタイムが短くなっていることが分かる。基板５２に、リレー５８に加えて、ガラス容器５３を設けた実施例５の体力向上装置の場合、よりタイムが短くなっていることが分かる。
【００５２】
［評価試験３］
被験者Ｆ（９７歳の女性、介護認定：要介護４）に、本願出願人による特許第４２８２３１６号の施術用ベッドに寝てもらい、実施例４の体力向上装置を頭部に４箇所、両足首に各１箇所に装着した。１０日間で、完全寝たきりの状態から、上体を斜めに起こして食事を取ることができるようになり、血色も良くなった。
次に、実施例５の体力向上装置を部に４箇所、両足首に各１箇所に装着した。
被験者Ｆは、略５分後、足をばたつかせることができるようになり、ベッドの金具を掴んで寝返りを打てるようになった。
略１２分後、上体を完全に起こせるようになった。
略１９分後、ベッドに腰掛けようと努力するようになり、これを繰り返しているうちに、略２６分後、自力でベッドに腰掛けることができるようになった。
また、被験者Ｆの頭髪の静電気測定を静電気測定機（セルミ医療器株式会社製の「ＦＭＸ００２  ＳＥＲ．Ｎｏ．０２９８３」）を用いて行った。施術用ベッドに寝る前、施術用ベッドに寝て１０日後、実施例５の体力向上装置を装着してから１週間後に静電気測定を行ったところ、それぞれ０．８ｋＶ、０．１〜０．４ｋＶ、０ｋＶであり、被験者Ｆの頭髪に帯電していた静電気が除去されたことが確認された。
【００５３】
以上より、本発明の体力向上装置は発振部を備えるので、人体に装着することにより、体力が向上し、さらにガラス容器を備えることにより、発振のノイズが低減して、より体力が向上することが確認された。
【００５４】
前記実施の形態１乃至６においては、負電荷を付与されたメタリックシリコン８をガラス容器３、４、３３、５３、６３、及び７３に封入した場合につき説明しているがこれに限定されるものではなく、ＳｉＯ2 を主成分とする珪砂等に負電荷を付与させたものを封入することにしてもよい。また、鉱物、Ａｌ、Ｐ、Ｇｅ、Ｓｎ、Ｐｂ、Ｎｉ又はＦｅ等を負に帯電させてガラス容器３、３３、５３、６３、及び７３に封入することにしてもよい。
【００５５】
また、前記実施の形態１，４，５においてはガラス容器３，５３，６３を５個、前記実施の形態２においてはガラス容器３を３個、前記実施の形態３においてはガラス容器３３を６個、設ける場合につき説明しているがこれに限定されるものではない。但し、ガラス容器の個数は３個以上であるのが好ましい。また、ガラス容器を多角形の頂点に配置する場合に限定されるものではなく、円上に配置することにしてもよい。
【００５６】
そして、前記実施の形態１乃至６においては、電気回路に電気素子として、圧電ブザー６，３６、又はリレー５８，６８を備える場合につき説明しているがこれに限定されるものではなく、他の発振回路を備えることにしてもよい。
【符号の説明】
【００５７】
１、１５、３１、５１、６１、７１  体力向上装置
２、３２、５２、６２  基板
３、３３、５３、６３、７３  ガラス容器
５、３５、６５  電池収容部
６、３６  圧電ブザー
７、３７、５７、６７  タイマー素子
５８、６８  リレー
８  メタリックシリコン
９  イオン棒
１５  石英坩堝
１６  銅板
１７  コード
１８  静電気発生装置
２１  建物
２２  敷地
２３  電気炉
２４  坩堝
【図１】
2013000470.tif 000005
【図２】
2013000470.tif 000006
【図３】
2013000470.tif 000007
【図４】
2013000470.tif 000008
【図５】
2013000470.tif 000009
【図６】
2013000470.tif 000010
【図７】
2013000470.tif 000011
【図８】
2013000470.tif 000012
【図９】
2013000470.tif 000013
【図１０】
2013000470.tif 000014
【図１４】
2013000470.tif 000015
【図１５】
2013000470.tif 000016
【図１１】
2013000470.tif 000017
【図１２】
2013000470.tif 000018
【図１３】
2013000470.tif 000019